(57)【要約】【課題】常時竜頭とケースとを導通させることができ、かつコストを低減できる時計を提供することにある。【解決手段】巻真パイプ６と竜頭５の軸部５１との間に設けられる導電性を有する弾性部材７は、竜頭５の引き出し操作および押し戻し操作時に、一端７１が巻真パイプ６の同位置に接触するとともに他端７２が竜頭５の同位置に接触し、竜頭５の操作位置に応じて伸縮するので、この弾性部材７により常時竜頭５と巻真パイプ６とを導通させ、ひいては竜頭５とケース２とを導通できる。従って、静電気を帯びた使用者が竜頭５に触れたとしても、竜頭５の操作位置にかかわらず静電気をケース２側に逃がすことができ、静電気による電子回路部の誤作動等を防ぐことができる。また、巻真パイプ６と竜頭５の軸部５１との間に弾性部材７を設けるだけの簡素な構成で竜頭５とケース２とを導通できるので、コストを低減できる。【選択図】図３
2010230362.tif 000002
【特許請求の範囲】
【請求項１】
ケースに取り付けられた巻真パイプと、前記巻真パイプに軸部が挿通される竜頭とを備えるとともに、前記竜頭が前記ケースから外方側に引き出し可能に構成された時計であって、
前記巻真パイプと前記軸部との間には、導電性を有し、かつ前記竜頭の引き出し操作および押し戻し操作に応じて伸縮する弾性部材が設けられ、
前記竜頭の引き出し操作および押し戻し操作時には、前記弾性部材の一端が前記巻真パイプの同位置に接触しているとともに他端が前記竜頭の同位置に接触している
ことを特徴とする時計。
【請求項２】
請求項１に記載の時計において、
前記弾性部材の前記一端は、前記巻真パイプの内周に嵌合した状態とされ、前記他端は、前記軸部の外周に係止されている
ことを特徴とする時計。
【請求項３】
請求項１に記載の時計において、
前記竜頭の前記軸部周りには、外方側に窪んだ凹状部が設けられ、
前記巻真パイプは、前記軸部を案内する案内部と、前記案内部の外方側に設けられて前記案内部より径大な径大部とを備えて段付状に形成され、
前記弾性部材は、前記径大部の底部分と前記竜頭に設けられた前記凹状部の底部分との間で挟持されている
ことを特徴とする時計。
【請求項４】
請求項１から請求項３のいずれかに記載の時計において、
前記弾性部材は、前記軸部に挿通されたコイルばねである
ことを特徴とする時計。
【請求項５】
請求項２に記載の時計において、
前記弾性部材は、前記軸部に挿通されたコイルばねであり、
前記軸部において外方側には雄ねじが形成され、
前記雄ねじに前記コイルばねの前記他端が係止されている
ことを特徴とする時計。
【発明の詳細な説明】
【技術分野】
【０００１】
本発明は、時計に関する。
【背景技術】
【０００２】
ムーブメントに電子回路部を有する時計では、使用者が静電気を帯びた状態で竜頭に触れると、静電気が竜頭および巻真を介して電子回路部に流れてしまい、電子回路部が誤作動してしまったり、最悪破壊されてしまうおそれがある。このような問題に対する解決策として、従来、ネジロック構造を時計に採用することがある（例えば特許文献１）。
【０００３】
特許文献１に記載のネジロック構造では、非操作時には、竜頭はケース内部に設置された支持筒に螺合している。そして、該ネジロック構造では、竜頭を回転させて支持筒から外すことで、竜頭がケース外方に移動し、時計の操作を行うことが可能となる。このようなネジロック構造を有する特許文献１に記載の時計では、非操作時には竜頭がケース内部の支持筒に螺合しているので、静電気を帯びた使用者が竜頭に触れても、静電気を竜頭および支持筒を介してケースに逃がすことができ、ケース内部の電子回路部に静電気が流れてしまうことを防ぐことができる。
【先行技術文献】
【特許文献】
【０００４】
【特許文献１】特開２０００―２５８５６０号公報
【発明の概要】
【発明が解決しようとする課題】
【０００５】
しかしながら、特許文献１に記載の時計では、操作時には、竜頭が支持筒から外れており、ケースと導通しない状態にあるため、使用者が静電気を帯びた状態で竜頭に触れると、やはり電子回路部に静電気が流れてしまい、電子回路部の誤作動等の問題を引き起こすおそれがある。また、特許文献１に記載の時計では、複雑な構成のネジロック構造を採用しているので、コストがかかるという問題もある。
【０００６】
本発明の目的は、常時竜頭とケースとを導通させることができ、かつコストを低減できる時計を提供することにある。
【課題を解決するための手段】
【０００７】
本発明の時計は、ケースに取り付けられた巻真パイプと、前記巻真パイプに軸部が挿通される竜頭とを備えるとともに、前記竜頭が前記ケースから外方側に引き出し可能に構成された時計であって、前記巻真パイプと前記軸部との間には、導電性を有し、かつ前記竜頭の引き出し操作および押し戻し操作に応じて伸縮する弾性部材が設けられ、前記竜頭の引き出し操作および押し戻し操作時には、前記弾性部材の一端が前記巻真パイプの同位置に接触しているとともに他端が前記竜頭の同位置に接触していることを特徴とする。
【０００８】
本発明によれば、巻真パイプと竜頭の軸部との間に導電性を有する弾性部材が設けられている。この弾性部材は、竜頭の引き出し操作および押し戻し操作時に、一端が巻真パイプの同位置に接触するとともに他端が竜頭の同位置に接触し、竜頭の操作位置に応じて伸縮するので、この弾性部材により、常時竜頭と巻真パイプとを導通させ、ひいては竜頭とケースとを導通させることができる。従って、静電気を帯びた使用者が竜頭に触れたとしても、竜頭の操作位置にかかわらず静電気をケース側に逃がすことができ、ケース内部に配置される電子回路部に静電気が流れてしまうことを防ぐことができて電子回路部の誤作動等を防ぐことができる。また、巻真パイプと竜頭の軸部との間に弾性部材を設けるだけの簡素な構成で竜頭とケースとを導通させることができるので、コストを低減できる。
【０００９】
本発明の時計では、前記弾性部材の前記一端は、前記巻真パイプの内周に嵌合した状態とされ、前記他端は、前記軸部の外周に係止されていることが好ましい。
本発明によれば、弾性部材の一端を巻真パイプの内周に嵌合して固定し、他端を竜頭の軸部の外周に係止させて固定するので、弾性部材を安定した状態で設置することができ、竜頭の引き出し操作時に弾性部材が動いてしまうことを防止することができる。従って、竜頭の引き出し操作時に弾性部材が動いてしまうと使用者が不快感を感じるおそれがあるが、このようなことが無く、竜頭の操作感を良好にできる。
【００１０】
本発明の時計では、前記竜頭の前記軸部周りには、外方側に窪んだ凹状部が設けられ、前記巻真パイプは、前記軸部を案内する案内部と、前記案内部の外方側に設けられて前記案内部より径大な径大部とを備えて段付状に形成され、前記弾性部材は、前記径大部の底部分と前記竜頭に設けられた前記凹状部の底部分との間で挟持されていることが好ましい。
本発明によれば、弾性部材を、巻真パイプにおける径大部の底部分と竜頭の凹状部の底部分との間で挟持させるので、竜頭の引き出し操作時に弾性部材が動いてしまうことを防止することができ、竜頭の操作性を良好にできる。
【００１１】
本発明の時計では、前記弾性部材は、前記軸部に挿通されたコイルばねであることが好ましい。
本発明によれば、弾性部材としてコイルばねを用いるので、コストをより低減できる。
【００１２】
本発明の時計では、前記弾性部材は、前記軸部に挿通されたコイルばねであり、前記軸部において外方側には雄ねじが形成され、前記雄ねじに前記コイルばねの前記他端が係止されていることが好ましい。
本発明によれば、弾性部材としてコイルばねを用いるうえ、軸部の外方側に形成した雄ねじにコイルばねの他端を係止させるので、非常に簡素な構成で竜頭と巻真パイプとを導通させることができるとともにコイルばねを安定して設置することができ、コストを一層低減できる。
【図面の簡単な説明】
【００１３】
【図１】本発明の第１実施形態に係る時計を示す断面図。
【図２】前記実施形態の巻真パイプおよび竜頭を示す断面図。
【図３】前記実施形態の竜頭が引き出された際のコイルばねを示す図。
【図４】本発明の第２実施形態に係る巻真パイプの径大部を示す断面図。
【図５】前記実施形態の竜頭が引き出された際のコイルばねを示す断面図。
【発明を実施するための形態】
【００１４】
〔第１実施形態〕
以下、本発明の第１実施形態を図面に基づいて説明する。
図１は、本発明の第１実施形態に係る時計１を示す断面図である。
時計１は、ケース２と、ケース２内部に設けられた例えばアナログ式電子時計用のムーブメント３と、ムーブメント３内の輪列を巻真４を介して操作する竜頭５と、ケース２に取り付けられて竜頭５の軸部５１が挿通される巻真パイプ６とを備えている。
【００１５】
ケース２は、リング状に形成された胴２１と、胴２１の表面側に取り付けられたカバーガラス２２と、胴２１の裏面側に取り付けられた裏蓋２３とを備えている。
ムーブメント３は、時刻表示を行う指針３１、指針３１を駆動する図示しないステッピングモーター、およびステッピングモーターにパルス信号を出力する図示しない電子回路部等を備えている。なお、ムーブメント３は、一次電池を用いた一般的なアナログ電子時計用の他、回転錘の回転で動作する発電機、および発電機で発電された電気エネルギを充電するコンデンサを備え、コンデンサからの電気エネルギーで電気回路部を動作させるものでもよい。また、ムーブメント３は、駆動源としてのゼンマイ、ゼンマイの動力を指針３１に伝達する輪列、およびゼンマイにより駆動される発電機を備え、発電機からの電気エネルギーで電子回路部を動作させて前記輪列を調速するものでもよい。
【００１６】
図２は、巻真パイプ６および竜頭５を示す断面図である。
巻真パイプ６は、導電性を有し、胴２１に形成された取付孔２４内に挿入された状態で取り付けられている。この巻真パイプ６は、取付孔２４内面と接触する案内部６１と、案内部６１より径が大きく形成されてケース２外部に露出した径大部６２とを備え、段付状に形成されている。径大部６２の内径は、後述するコイルばね７のばね径（外径）よりも若干大きくされている。このような径大部６２の内方側の内径は、外方側の内径に比べ若干小さくされている。
【００１７】
竜頭５は、ケース２から外方側へ引き出し可能に構成されており、竜頭５を引き出すことで時刻修正等の操作が行えるようになっている。竜頭５の軸部５１周りは、外方側に窪んだ凹状部５２になっており、この凹状部５２の内側に巻真パイプ６の径大部６２が配置されている。この竜頭５の凹状部５２の内側面には、ガタ防止用のリング状の樹脂部材５２１が取り付けられている。このような竜頭５では、内方側に突設された軸部５１が巻真パイプ６の案内部６１に案内される。この軸部５１の軸方向途中位置にはリング状の溝５１１が設けられている。この溝５１１にはパッキン５１２が取り付けられている。軸部５１の外方側の端部には雄ねじ５１３が形成されている。
【００１８】
このような竜頭５の軸部５１と巻真パイプ６の径大部６２との間には、軸部５１に挿通された弾性部材としてのコイルばね７が設けられている。このコイルばね７の一端７１は、若干径が小さくされた径大部６２の内方側の内周に嵌合して固定された状態とされている。また、コイルばね７の他端７２は、軸部５１の外方側の端部に形成された雄ねじ５１３に係止されて固定された状態とされている。そして、コイルばね７は、該コイルばね７が収納される巻真パイプ６の径大部６２の内径がコイルばね７のばね径よりも若干大きくされていることにより、端部７１，７２のみが巻真パイプ６あるいは軸部５１に固定され、端部７１，７２以外の部分は巻真パイプ６および軸部５１に僅かに接触するだけとなっている。
【００１９】
従って、本実施形態では、竜頭５がケース２側に位置する際に静電気を帯びた使用者が竜頭５に触れた場合には、竜頭５からの静電気がコイルばね７の他端７２から一端７１を介して巻真パイプ６に流れ、巻真パイプ６からケース２側に流れることとなるので、静電気がムーブメント３内部の電子回路部に流れてしまことを防止することができ、静電気による電子回路部の誤作動等を防ぐことができる。
コイルばね７は、竜頭５がケース２側に位置する際に僅かに圧縮された状態となるように設置されている。
【００２０】
図３は、竜頭５が引き出された際のコイルばね７を示す図である。
このようなコイルばね７は、竜頭５が引き出されると、図３に示すように、一端７１が巻真パイプに固定された状態で、他端７２が竜頭５の引き出しに追従して外方側に変位することにより、竜頭５がケース２側に位置する際に比べて僅かに伸びた状態となる。しかしながら、この竜頭５の引き出し操作時においても、コイルばね７は、一端７１が径大部６２の内周面の同位置（若干径が小さくされた径大部６２の内方側の内周）に接触した状態、かつ他端７２が軸部５１の外周面の同位置（雄ねじ５１３）に接触した状態のまま伸びることとなるので、竜頭５が引き出された際においても、コイルばね７により、竜頭５と巻真パイプ６とを導通させ、ひいては竜頭５とケース２とを導通させることができる。従って、本実施形態では、竜頭５が引き出された際に静電気を帯びた使用者が竜頭５に触れた場合でも、静電気をケース２側に逃がすことができ、電子回路部の誤作動等を防ぐことができる。
【００２１】
また、コイルばね７は、端部７１，７２のみが巻真パイプ６あるいは軸部５１に固定され、端部７１，７２以外の部分は巻真パイプ６および軸部５１に僅かに接触するだけとなっているので、竜頭５の引き出し操作時にコイルばね７が巻真パイプ６や軸部５１に大きく擦れることはなく、竜頭５の引き出し操作時にコイルばね７による摺動抵抗はほとんど生じないようになっている。そのため、何ら摺動抵抗を感じることなく、スムースに竜頭５を引き出すことができる。
【００２２】
なお、本実施形態では、竜頭５がケース２側に位置する際のコイルばね７の圧縮量は非常に僅かなものとされ、使用者が竜頭５を引き出す際にコイルばね７のばね力が使用者の操作感に影響を与えることがないようにされている。また、コイルばね７は、竜頭５がケース２側へ押し戻された際には、一端７１が固定された状態で他端７２が竜頭５の押し戻し操作に追従してケース２側に変位することにより、元の圧縮状態に戻ることとなる（図２）。
【００２３】
以上のような本実施形態によれば、以下の効果を奏することができる。
（１）コイルばね７は、竜頭５の引き出し操作および押し戻し操作時に、一端７１が巻真パイプ６の同位置に接触するとともに他端７２が竜頭５の同位置に接触しており、竜頭５の操作位置に応じて伸縮するので、このコイルばね７により、常時竜頭５と巻真パイプ６とを導通させ、ひいては竜頭５とケース２を導通させることができる。従って、静電気を帯びた使用者が竜頭５に触れたとしても、竜頭５の操作位置にかかわらず静電気をケース２側に逃がすことができ、電子回路部に静電気が流れてしまうことを防ぐことができて電子回路部の誤作動等を防ぐことができる。また、巻真パイプ６と竜頭５の軸部５１との間にコイルばね７を設けるだけの簡素な構成で竜頭５とケース２とを導通させることができるので、コストを低減できる。
【００２４】
（２）コイルばね７の一端７１を巻真パイプ６の内周に嵌合して固定し、他端７２を竜頭５の軸部５１の外周に係止させて固定するので、竜頭５の引き出し操作時にコイルばね７が動いてしまうことを防止することができ、竜頭５の操作感を良好にできる。
（３）巻真パイプ６と竜頭５の軸部５１との間に設ける弾性部材としてコイルばね７を用いたので、コストをより低減できる。
【００２５】
（４）竜頭５の軸部５１の外方側に形成した雄ねじ５１３にコイルばね７の他端７２を係止させるので、非常に簡素な構成でコイルばね７を安定して設置することができ、コストを一層低減できる。また、コイルばね７は、端部７１，７２のみが巻真パイプ６あるいは軸部５１に固定され、端部７１，７２以外の部分は巻真パイプ６および軸部５１に僅かに接触するだけとなっているので、竜頭５の引き出し操作時にコイルばね７が巻真パイプ６や軸部５１に大きく擦れることがなく、何ら摺動抵抗を感じることなくスムースに竜頭５を引き出すことができる。
【００２６】
〔第２実施形態〕
図４は、第２実施形態に係る巻真パイプ６の径大部６２Ａを示す断面図、図５は、竜頭５が引き出された際のコイルばね７を示す断面図である。以下、前記第１実施形態と同一機能部位には同一符号を付し、それらの説明を省略若しくは簡略化する。
前記第１実施形態では、コイルばね７の一端７１が径大部６２の内周に嵌合されて固定された状態とされるとともに、他端７２が雄ねじ５１３に係止されて固定された状態とされることにより、竜頭５の操作時にコイルばね７全体が動いてしまうことが防止されていた。
【００２７】
これに対し、本実施形態では、径大部６２Ａの内径は内方側から外方側まで同一とされ、コイルばね７は、ばね力の弱い圧縮ばねとされ、径大部６２Ａの底部分６２１と竜頭５の凹状部５２の底部分５２２との間で挟持されている。このような本実施形態でも、コイルばね７は、図４および図５に示すように、竜頭５の操作位置に応じて、その端部７１，７２がそれぞれ径大部６２Ａの同一位置（径大部６２Ａの底部分６２１）および竜頭５の同一位置（凹状部５２の底部分５２２）に接触した状態のまま伸縮することとなるので、コイルばね７全体が動いてしまうことがない。
【００２８】
そして、本実施形態でも、このコイルばね７により、常時竜頭５と巻真パイプ６とを導通させ、ひいては竜頭５とケース２とを導通させることができるので、静電気を帯びた使用者が竜頭５に触れたとしても、竜頭５の操作位置にかかわらず静電気をケース２側に逃がすことができ、電子回路部の誤作動等を防ぐことができる。また、コイルばね７の中間部分は、巻真パイプ６および竜頭５に接触しているわけではないので、コイルばね７による摺動抵抗もやはり生じず、スムースに竜頭５の引き出し操作および押し戻し操作を行うことができる。加えて、コイルばね７の両端７１，７２を係止するための加工を巻真パイプ６や巻真４に施さない分、コストを低減できる。
【００２９】
〔実施形態の変形〕
なお、本発明は前記各実施形態に限定されるものではなく、本発明の目的を達成できる範囲での変形、改良等は本発明に含まれるものである。
前記各実施形態では、弾性部材としてコイルばね７を用いたが、例えば導電性を有する筒状の樹脂部材を弾性部材として用いてもよく、巻真パイプ６と竜頭５とを導通させることができればどのような部材を弾性部材として用いてもよい。
【００３０】
前記各実施形態では、弾性部材はコイル状に形成されていたが、弾性部材は、竜頭５の軸部５１に沿った長手状に形成され、竜頭５の軸部５１に沿って巻真パイプ６と竜頭５との間に設けられていてもよい。
前記第１実施形態では、コイルばね７の他端７２は、竜頭５の軸部５１に形成された雄ねじ５１３に係止されていたが、コイルばね７の他端７２は、例えば接着により竜頭５の軸部５１に係止されていてもよく、どのような構成により竜頭５の軸部５１に係止されていてもよい。
【符号の説明】
【００３１】
１，１Ａ…時計、２…ケース、４…巻真、５…竜頭、６…巻真パイプ、７…コイルばね（弾性部材）、５１…軸部、５２…凹状部、６１…案内部、６２，６２Ａ…径大部、７１…一端、７２…他端、５１３…雄ねじ、５２２…凹状部の底部分、６２１…径大部の底部分。
【図１】
2010230362.tif 000003
【図２】
2010230362.tif 000004
【図３】
2010230362.tif 000005
【図４】
2010230362.tif 000006
【図５】
2010230362.tif 000007